(57)【特許請求の範囲】
【請求項１】
ネットワークにて接続され、それぞれの機器から上位ソフトウェアでデータを収集する監視システムに用いる監視装置であって、
通信電文に影響を与えないノイズを検出する第１のノイズ検出手段を備え、
前記第１のノイズ検出手段は、伝送信号をフーリエ展開し、フーリエ展開の基本波成分により伝送信号を検出し、伝送信号を検出した場合に、通信電文の範囲においてフーリエ展開の各高調波成分が閾値を超えているか判定することでノイズを検出することを特徴とする監視装置。
【請求項２】
請求項１に記載の監視装置において、
前記第１のノイズ検出手段は、
伝送信号をサンプリングするサンプリング部と、
サンプリングされた信号をフーリエ展開するフーリエ展開部と、
フーリエ展開された各成分の実効値を計算する実効値計算部と、
基本波成分の実効値から伝送信号を検出する伝送信号検出部と、
伝送信号を検出した場合に、高調波成分の実効値が閾値を超えているか判定することでノイズを検出するノイズ検出部と、
を有する監視装置。
【請求項３】
請求項１に記載の監視装置において、
前記第１のノイズ検出手段で検出したノイズ状態を表示することを特徴とする監視装置。
【請求項４】
請求項１に記載の監視装置において、更に、
通信電文が書き換わるノイズを検出する第２のノイズ検出手段を備え、
前記第２のノイズ検出手段は、
伝送信号の交流成分のみを通過する直流除去フィルタと、
通過した交流成分を閾値と比較することによりノイズを検出するノイズ検出部と、
を有することを特徴とする監視装置。
【請求項５】
請求項４に記載の監視装置において、
前記第２のノイズ検出手段で検出したノイズ状態を表示することを特徴とする監視装置。
【請求項６】
請求項４に記載の監視装置において、更に、
瞬間的なピークノイズを検出する第３のノイズ検出手段を備え、
前記第３のノイズ検出手段は、
保護回路に流れる電流を検出する電流検出部と、
電流検出部の検出したノイズ信号を保持する信号保持部と、
を有することを特徴とする監視装置。
【請求項７】
請求項６に記載の監視装置において、
前記第３のノイズ検出手段で検出したノイズ状態を表示することを特徴とする監視装置。
【請求項８】
請求項１〜７の何れか１項に記載の監視装置において、
ノイズ状態を上位ソフトウェアへ通知することを特徴とする監視装置。
【発明の詳細な説明】
【技術分野】
【０００１】
本発明は、電力監視システムに使用する監視装置（電源監視ユニット）のノイズ検出技術に関する。
【背景技術】
【０００２】
工場内、ビル内などにおいて、電力メータや漏電の監視などを行う電力監視システムを構築する際、ネットワーク配線が必要となる。ネットワークには様々な規格があり、監視装置が対応しているネットワーク配線を行う必要がある。ネットワーク配線後、監視システムを稼働させるとノイズにより通信が出来なくなることがある。ノイズは使用する環境によって、発生タイミングや発生間隔またノイズレベルが異なるため、通信できなくなる事象がノイズが原因であると特定するには、時間と費用がかかってしまう。
【０００３】
ノイズの検出方法の技術として、特開２００９−２６０４５０号公報（特許文献1）がある。特許文献１には、「伝送路から伝送される通信電文と波形信号は一端記憶手段に記憶され、同期判定手段１０８によって取得時刻で同期をとられる。解析波形情報生成手段１０９は通信電文と同期された波形信号の理想波形情報記憶手段１１２に記憶された理想波形信号に対応する部分を解析対象である解析波形信号として抽出し、通信状態判定手段１１３は解析波形情報生成手段１１０によって抽出された解析波形信号と前記記憶手段に記憶された理想波形信号とを比較した結果に基づいて前記伝送路の通信状態を推定する。推定した結果は、解析結果表示手段１１４によって表示される。（要約参照）」と記載されている。
【先行技術文献】
【特許文献】
【０００４】
【特許文献１】特開２００９−２６０４５０号公報
【発明の概要】
【発明が解決しようとする課題】
【０００５】
ノイズが発生すると監視システムの通信が停止してしまう。ノイズはいつ発生するか不明であり、気がついた時にはすでにノイズが消えていることもある。また、ノイズがある環境に設置しても通信が可能なレベルである場合は、ノイズの有無に気づくことが出来ないという問題があった。特許文献１記載の発明は、通信電文と波形信号を関連付けて解析するものである。関連付けする処理部は比較処理となり、処理時間と電文比較処理が必要であり処理速度に時間がかかるという問題がある。ノイズは高速であり、高速な波形を計測するには、処理を出来るだけ少なくしなければならない。また、ノイズのレベルにかかわらず同じ処理を行ってしまい、ノイズレベルが小さい場合、例えば通信への影響がないレベルのノイズであっても処理を行ってしまうという問題がある。
【０００６】
本発明は、監視システム導入時にノイズがあるかどうかを判断でき、高速なノイズを短時間に精度良く検出することができる監視装置を提供することを目的とする。
【課題を解決するための手段】
【０００７】
上記の課題を解決するために、本発明は、ノイズ検知を、フーリエ展開によって導いた値のみで判定することで、高速処理し、また、ノイズレベルによりノイズ検出処理を分散させることを特徴とする。
【０００８】
本発明の「監視装置」の代表的な一例を挙げるならば、
ネットワークにて接続され、それぞれの機器から上位ソフトウェアでデータを収集する監視システムに用いる監視装置であって、通信電文に影響を与えないノイズを検出する第１のノイズ検出手段を備え、前記第１のノイズ検出手段は、伝送信号をフーリエ展開し、フーリエ展開の基本波成分により伝送信号を検出し、伝送信号を検出した場合に、通信電文の範囲においてフーリエ展開の各高調波成分が閾値を超えているか判定することでノイズを検出するものである。
【００１０】
また、本発明の監視装置において、更に、通信電文が書き換わるノイズを検出する第２のノイズ検出手段を備えるのが好ましい。
【００１１】
また、本発明の監視装置において、更に、瞬間的なピークノイズを検出する第３のノイズ検出手段を備えるのが好ましい。
【発明の効果】
【００１２】
本発明によれば、監視システム導入時にノイズがあるかどうかが判断でき、高速なノイズを短時間に精度よく検出することができる。また、ノイズ発生により監視システムの通信が停止したことを通知することが可能となる。
【図面の簡単な説明】
【００１３】
【図１】ノイズの種類を示した図である。
【図２】本発明の実施例１の、電文へ影響を与えないノイズを検出する構成を示した図である。
【図３】電文のサンプリングを示した図である。
【図４】ノイズを含む伝送信号をフーリエ展開した図である。
【図５】歪み波形を示した図である。
【図６】電文コードを示した図である。
【図７】実施例１の、電文へ影響を与えないノイズを検出するフローを示した図である。
【図８】実施例１の、電文へ影響を与えないノイズ検出手段のブロック構成図である。
【図９】本発明の実施例２の、電文へ影響を与えるノイズを検出する構成を示した図である。
【図１０】本発明の実施例３の、異常なピークノイズを検出する構成を示した図である。
【発明を実施するための形態】
【００１４】
以下、本発明の実施例を図面を用いて説明する。なお、実施例を説明するための各図において、同一の構成要素には同一の名称、符号を付して、その繰り返しの説明を省略する。
【実施例１】
【００１５】
図１に、ネットワークで発生するノイズの一例を示す。図において、符号１００はノイズのない定常電文波形を示す。ノイズレベルには３つの種類がある。1つ目は、符号１０１で示す、通信電文に影響を与えないレベルであり、通信停止は発生しない。よって、使用者はノイズに気づくことが出来ない。しかし、設置環境は明らかに悪く、いつ通信停止が発生してもおかしくない。
２つ目は、符号１０２で示す、通信電文に影響を与えるノイズレベルであり、通信が停止してしまう。通信停止により使用者は異常に気づくことが出来る。符号１０４は、電文が書き換わる閾値を示し、閾値を超えるノイズである。
３つ目は、符号１０３で示す、瞬間的な大きなピークが来るノイズである。設備の動作開始や停止時にのみ発生するノイズであり、一瞬で消えてしまうため、使用者もシステム提供者もノイズの有無を確認することが出来ない。
本発明では、ノイズをこれら３つの種類に分解し、ノイズを検出する。
【００１６】
図２は、通信電文に影響を与えないノイズを検出するための監視装置の構成を示している。監視装置は、ＲＳ−４８５ネットワークにて上位ソフトウェアに接続されている。ＲＳ−４８５ネットワークからの伝送信号は通信回路部２０１でデータ信号に変換され中央演算部２０３へ送られる。また、中央演算部２０３からのデータは、通信回路部２０１を介して、ＲＳ−４８５ネットワークから上位ソフトウェア（図示せず）へ送られる。ＲＳ−４８５の通信回路部２０１の通信線に並列に差動増幅器等の増幅回路２００を設ける。増幅回路の出力はＡ／Ｄ変換部２０２でデジタル信号に変換され、中央演算部（ＣＰＵ）２０３へ入力される。通信電文を伝送する通信回路部２０１と並列に増幅回路２００を設けたことで、通信電文信号とは別にノイズ信号を中央演算部２０３へ伝送することが出来る。図において、ＦＧは接地線を示す。
【００１７】
図３に、通信電文のサンプリングを示す。サンプリングは、図２のＡ／Ｄ変換部２０２で行われる。通信電文の速度は製品上9,600bps、19,200bps、38,400bpsであり、この速度よりも早い周期でサンプリングを行う。サンプリングは、各伝送速度において１周期３００を３２分割３０１とし、監視機器の通信電文が１１ビットであるため、１１回分３０２を連続して取得する。
【００１８】
図４に、伝送信号とノイズの関係を示す。１次数の波形（基本波）は、伝送波形４００である。この伝送波形にノイズが重畳する。ノイズは高調波であり、1次波形に対して２次、３次・・・という周波数帯４０１で重畳する。フーリエ展開を行うことで各次数の実効値を求めることが出来る。
【００１９】
図５に示すように、初めに３２分割したサンプリングを行う。サンプリングした値を以下の式にてフーリエ展開を行う。
図５の歪み波形をｙ(ｔ)５００とすると三角関数で補間することができ、ｓｉｎ波とｃｏｓ波で表される。
【００２０】
【数１】
0006554024.tif 000002
【００２１】
更に、一周期を３２分割しその時の各サンプリング値をｙｘとすると、（式１）の各フーリエ係数は以下の通り表される。
【００２２】
【数２】
0006554024.tif 000003
【００２３】
【数３】
0006554024.tif 000004
【００２４】
上述の式から基本波だけを取り出すと以下の通りとなる。
【００２５】
【数４】
0006554024.tif 000005
【００２６】
【数５】
0006554024.tif 000006
【００２７】
【数６】
0006554024.tif 000007
【００２８】
（式５）よりａ１、（式６）よりｂ１を求めることにより、下式によって３２個の基本波信号のサンプリングデータｖを算出する。
【００２９】
【数７】
0006554024.tif 000008
【００３０】
【数８】
0006554024.tif 000009
【００３１】
【数９】
0006554024.tif 000010
【００３２】
以上の式から求めた各次数の値を以下の式にて計算し、実効値を求める。
【００３３】
【数１０】
0006554024.tif 000011
【００３４】
ここで基本波（１次数）の通信電文は装置固有であり、図６に示すデータが必ず存在する。この電文について上記フーリエ展開を行うと、値はVrms＝5Ｖとなる。つまり電文の範囲かどうかは、1次数電圧＝５Ｖで判断が可能となる。1次数電圧＝５Ｖの箇所のみのノイズを検出する。1次数電圧＝５Ｖ以外の箇所は、通信電文とは関係が無いため、この箇所はノイズ検出を行わない。こうすることで、分析処理を軽減することが出来る。
【００３５】
電文信号において、２次数以降の実効値が全てノイズによる実効値である。電文信号は、0.4Vの閾値でデータが書き換わる。各次数のノイズ波形は、正弦波に近似できるので、ピーク値が0.4V以下つまり実効値が0.282V以下であれば、正常動作として認識することが出来る。この値を用いて定常的なノイズ検出を行う。他次数の閾値は余裕度を持たせるため、0.2Vを閾値とする。この閾値とすることで、電文との比較処理が不要となるため、検出処理を少なくすることが出来る。
【００３６】
閾値を超えたノイズが印加された場合、監視機器のLED等の表示装置を点灯させる。このLEDはノイズが定常的に印加されていることを通知するLEDであり、通信が正常であっても、ノイズが重畳していることを使用者へ通知することが出来る。また、設置者は設置段階でノイズの重畳を認識することが出来る。
【００３７】
図７に、フーリエ展開によるノイズ検出のフロー図を示す。
先ず、伝送信号のサンプリング（通信1ビット分を３２分割）を行う（Ｓ７０１）。次に、サンプリングした値をフーリエ展開し、基本波（１次）成分および高調波（高次）成分を求める（Ｓ７０２）。そして、基本波成分および高調波成分の実効値を計算する（Ｓ７０３）。
Ｓ７０４で、基本波（１次）成分の実効値が５Ｖであるかどうかを判定し、実効値が５Ｖでない場合は、「通信波形なし」と判断する（Ｓ７１０）。
実効値が５Ｖの場合は、次のＳ７０５で、２次成分の実効値が０．２Ｖ以上かを判定し、０．２Ｖ以上であれば「ノイズ有り」と判定し、ＬＥＤを点灯させる。０．２Ｖより小さければ、次のＳ７０６で、３次成分の実効値が０．２Ｖ以上かを判定し、０．２Ｖ以上であれば「ノイズ有り」と判定する。０．２Ｖより小さければ、同様に、１５次成分までノイズの有無を判定する（Ｓ７０７）。
Ｓ７０５〜Ｓ７０７の何れの場合も、ノイズ有りと判定されなかった場合は、「ノイズ無し」と判定する（Ｓ７０９）。
【００３８】
図８に、電文へ影響を与えないノイズ検出手段のブロック構成図を示す。
通信電文に影響を与えないノイズ検出手段８００は、サンプリング部８０１、フーリエ展開部８０２、実効値計算部８０３、伝送信号検出部８０４、ノイズ検出部８０５を備えている。
サンプリング部８０１は、図３に示される伝送信号のサンプリングを行う。フーリエ展開部８０２は、サンプリングした値をフーリエ展開し、図４に示される基本波（１次）成分および高調波（高次）成分を求める。実効値計算部８０３は、基本波（１次）成分および高調波（高次）成分のそれぞれの実効値を計算する。伝送信号検出部８０４は、基本波（１次）成分の実効値が５Ｖであるかどうかを判定し、実効値が５Ｖの場合は、伝送信号有りと判定して、伝送信号を検出する。ノイズ検出部８０５は、伝送信号検出部８０４が伝送信号を検出した場合、各高調波（高次）成分の実効値が閾値以上かを判定し、実効値が閾値以上の場合に、ノイズ有りと判定する。
電文へ影響を与えないノイズ検出手段８００は、中央演算部（ＣＰＵ）２０３が所定のプログラムをメモリ上にロードし、実行することにより、ソフトウェアで構成できる。また、それぞれをハードウェアで構成することもできる。
【００３９】
本実施例によれば、通信電文に影響を与えないノイズを検出する構成を備えているので、通信への影響がない小さいレベルのノイズがあるかどうかを判断でき、監視システム導入時の通信停止などの原因を調べることができる。また、フーリエ展開を用い、高調波成分が閾値以上かを判断することにより、ノイズを検出するので、高速なノイズを短時間に精度良く検出することができる
【実施例２】
【００４０】
実施例２は、通信電文に影響を与えないノイズを検出するための構成に加えて、通信電文の電文が書き換わるノイズ検出の構成を備える監視装置である。
【００４１】
図９に、通信電文の電文が書き換わるノイズ検出の構成を示す。ノイズは交流であるため、交流値のみを通過する直流除去フィルタ９００を設ける。フィルタ９００を通ることで、電文の切り換わり部とノイズ信号のみが通過する。書き換わる値１０４は0.4Vであるためこの値を閾値とする。通過した信号は、正常値であれば、電文速度の周期毎に閾値を超える。電文速度は機器自身が認識している。ノイズがある場合は電文速度以外の箇所で閾値を超えるため、閾値を超える周期のみで、電文を書き換えるノイズがあるか検出することが出来る。ノイズ検出部９０１で、このノイズ検出を行う。ノイズを検出した場合は、割り込み回路９０２を介して中央演算部２０３へ入力する。本検出はフーリエ展開が不要であり、検出処理が少ない。データが書き換わるノイズが重畳した場合、電文書き換えの異常があったことを知らせるLEDを点灯させる。このLEDの点灯は、機器に対し特定の操作をしない限り、消灯しない。こうすることで、現在異常が発生していなくても、過去に異常なノイズが重畳したことを通知することが出来る。また、このLEDの点灯状態をネットワークを介して上位ソフトウェアに通知する。こうすることで、機器だけでなく上位ソフトウェアで全ての機器のノイズ重畳状態を把握することが出来る。また、上位ソフトウェアでは、ノイズ発生時刻を記憶することが出来る。ノイズ発生時刻と、使用者の設備稼働時間を照らし合わせることで、ノイズ発生箇所を容易に特定することが出来る。
【００４２】
本実施例によれば、通信電文に影響を与えないノイズを検出するための構成に加えて、通信電文の電文が書き換わるノイズ検出の構成を備えるので、ノイズレベルにより処理を分散させることができ、ノイズを精度良く検出することができる。
【実施例３】
【００４３】
実施例３は、通信電文に影響を与えないノイズを検出するための構成に加えて、異常なピーク値のノイズが重畳した場合のノイズ検出の構成を備える監視装置である。
【００４４】
図１０に、異常なピーク値のノイズが重畳した場合のノイズ検出の構成を示す。機器が異常なピーク値で故障しないように、保護回路２０４が設けてある。この保護回路２０４が動作すると、保護部品に電流が流れる。流れた電流値は全て接地へ逃がすことで保護しているが、接地へ流れた電流値をトリガに、電流検出部１００１で信号を検出する。検出した信号はレベルに関係なく全て異常な信号である。この信号を検出した場合、信号保持部１００２で保持し、機器のＬＥＤを点灯させる。このＬＥＤの点灯は、機器に対し特定の操作をしない限り、消灯しない。こうすることで、現在異常が発生していなくても、過去に異常なノイズが重畳したことを通知することが出来る。また、このＬＥＤの点灯状態をネットワークを介して上位ソフトウェアに通知する。こうすることで、機器だけでなく上位ソフトウェアで全ての機器のノイズ重畳状態を把握することが出来る。また、上位ソフトウェアでは、ノイズ発生時刻を記憶することが出来る。ノイズ発生時刻と、使用者の設備稼働時間を照らし合わせることで、ノイズ発生箇所を容易に特定することが出来る。
【００４５】
本実施例によれば、通信電文に影響を与えないノイズを検出するための構成に加えて、異常なピーク値のノイズが重畳した場合のノイズ検出の構成を備えるので、ノイズレベルにより処理を分散させることができ、ノイズを精度良く検出することができる。
【００４６】
なお、図１０には記載していないが、図９に記載した、通信電文の電文が書き換わるノイズ検出の構成を合わせて備えるのが好ましい。
【符号の説明】
【００４７】
１００  定常電文波形
１０１  通信電文に影響を与えないノイズレベル
１０２  通信電文に影響を与えるノイズレベル
１０３  異常なピークノイズレベル
１０４  閾値
２００  増幅回路
２０１  通信回路部
２０２  Ａ／Ｄ変換部
２０３  中央演算部
２０４  保護回路
３００  電文速度（１周期）
３０１  サンプリング分割数
３０２  サンプリング取得回数
４００  基本波（１次数）波形
４０１  高調波（２次数以降）波形
５００  歪み波形
８００  通信電文に影響を与えないノイズ検出手段
８０１  サンプリング部
８０２  フーリエ展開部
８０３  実効値計算部
８０４  伝送信号検出部
８０５  ノイズ検出部
９００  直流除去フィルタ
９０１  ノイズ検出部
９０２  割り込み回路
１００１  電流検出部
１００２  信号保持部
【図１】
0006554024.tif 000012
【図２】
0006554024.tif 000013
【図３】
0006554024.tif 000014
【図４】
0006554024.tif 000015
【図５】
0006554024.tif 000016
【図６】
0006554024.tif 000017
【図７】
0006554024.tif 000018
【図８】
0006554024.tif 000019
【図９】
0006554024.tif 000020
【図１０】
0006554024.tif 000021